(57)【要約】【課題】灯油タンク内の残量を監視するシステムの導入コストを十分抑えることができない。【解決手段】サーバは、容器に入れられた流体の量を計測する複数の計測器と接続され、前記計測器毎に、前記計測器から入力された前記流体の量を示す値が第１の所定値に達したか否かを判別する第１の判別を行う判別部と、前記複数の計測器のうち、前記第１の判別の結果が肯定的であるものを示す第１の信号を出力する出力部と、を備える。【選択図】      図１１
2018049383.tif 000002
【特許請求の範囲】
【請求項１】
容器に入れられた流体の量を計測する複数の計測器と接続され、前記計測器毎に、前記計測器から入力された前記流体の量を示す値が第１の所定値に達したか否かを判別する第１の判別を行う判別部と、
前記複数の計測器のうち、前記第１の判別の結果が肯定的であるものを示す第１の信号を出力する出力部と、
を備えることを特徴とするサーバ。
【請求項２】
前記出力部は、前記第１の信号を、接続された所定の第１の端末に送信する、
ことを特徴とする請求項１に記載のサーバ。
【請求項３】
前記判別部は、前記計測器毎に、前記計測器から入力される前記値の所定時間あたりの減少量と、前記計測器の位置を示す所定のエリア情報と、を対応づけて記憶し、記憶した前記エリア情報の種類毎に、対応する前記減少値の合計値を算出して前記合計値が第２の所定値よりも大きいか否かを判別する第２の判別を行い、
前記出力部は、前記第２の判別の結果が肯定的である種類の前記エリア情報を含む第２の信号を前記第１の端末に出力する、
ことを特徴とする請求項２に記載のサーバ。
【請求項４】
前記出力部は、接続された、前記計測器に対応する所定の第２の端末のうち、前記第１の判別の結果が肯定的である前記計測器に対応する前記第２の端末に、補給が必要なことを示す第３の信号を出力する、
ことを特徴とする請求項１乃至３のいずれか１項に記載のサーバ。
【請求項５】
前記出力部は、前記エリア情報と、前記第２の端末を示す端末情報と、を対応づけて記憶し、前記第２の信号を出力する場合には、前記第２の信号に含まれる前記エリア情報に対応づけて記憶している前記端末情報が示す前記第２の端末に対し、前記流体を消費しすぎていることを示す第４の信号を送信する、
ことを特徴とする請求項３を引用する請求項４に記載のサーバ。
【請求項６】
前記判別部は、入力された前記値の１日あたりの前記減少量、入力された前記値の１週あたりの前記減少量、入力された前記値の１月あたりの前記減少量のいずれか、若しくは複数を算出し、
前記出力部は、前記判別部が算出した、前記１日あたりの減少量、前記１週あたりの減少量、前記１月あたりの減少量のいずれか、若しくは複数を前記第１の端末に出力する、
ことを特徴とする請求項３に記載のサーバ。
【請求項７】
容器に入れられた流体の量を計測する複数の計測器毎に、前記計測器から入力された前記流体の量を示す値が第１の所定値に達したか否かを判別する第１の判別を行う判別ステップと、
前記複数の計測器のうち、前記第１の判別の結果が肯定的であるものを示す第１の信号を出力する出力ステップと、
を有することを特徴とする方法。
【請求項８】
前記出力ステップにおいては、前記第１の信号を所定の第１の端末に送信する、
ことを特徴とする請求項７に記載の方法。
【請求項９】
前記判別ステップにおいては、前記計測器毎に、前記計測器から入力される前記値の所定時間あたりの減少量と、前記計測器の位置を示す所定のエリア情報と、を対応づけて記憶し、記憶した前記エリア情報の種類毎に、対応する前記減少値の合計値を算出して前記合計値が第２の所定値よりも大きいか否かを判別する第２の判別を行い、
前記出力ステップにおいては、前記第２の判別の結果が肯定的である種類の前記エリア情報を含む第２の信号を前記第１の端末に出力する、
ことを特徴とする請求項８に記載の方法。
【請求項１０】
サーバに実装されたプロセッサに、
容器に入れられた流体の量を計測する複数の計測器毎に、前記計測器から入力された前記流体の量を示す値が第１の所定値に達したか否かを判別する第１の判別を行う判別処理と、
前記複数の計測器のうち、前記第１の判別の結果が肯定的であるものを示す第１の信号を出力する出力処理と、
を行わせるためのプログラム。
【発明の詳細な説明】
【技術分野】
【０００１】
本発明は、サーバ、方法、及びプログラムに関し、特に、残量を監視するサーバ、方法、及びプログラムに関する。
【背景技術】
【０００２】
一般的に、灯油タンク内の灯油残量を監視するシステムが知られている。当該システムは、以下の特許文献１に開示されている。図１は、特許文献１のシステムの構成例を示す図である。
【０００３】
特許文献１のシステムは、図１に示されるように、灯油タンク９０と、灯油積算流量計９１と、供給管９２と、コンピュータ９３と、を備える。灯油積算流量計９１は、灯油需要者の住宅に設置される。供給管９２は、灯油需要者の住宅に灯油を供給する管である。コンピュータ９３は、灯油供給事業者のコンピュータであり、監視センターに設置される。
【０００４】
また、灯油積算流量計９１には、ＣＰＵ（Ｃｅｎｔｒａｌ  Ｐｒｏｃｅｓｓｉｎｇ  Ｕｎｉｔ）が備わる。ＣＰＵには、灯油タンク９０の容量値と、灯油残量の最小許容値と、が初期設定値として設定される。
【０００５】
灯油積算流量計９１は、供給管９２を流れる灯油の積算流量、すなわち灯油の消費量を計測する。計測後、灯油積算流量計９１のＣＰＵが、灯油タンク９０の容量値と、灯油残量の最小許容値（おそらく、計測された「灯油の積算流量」の誤記と思われる）と、の差に対応する値を算出する。算出された値は、灯油タンク９０内の灯油残量を示す値である。灯油積算流量計９１のＣＰＵは、算出した灯油タンク９０内の灯油残量を示す値が最小許容値に到達したか否かを判別し、最小許容値に到達していた場合には、コンピュータ９３に通報信号を出力する。灯油供給事業者は、コンピュータ９３に通報信号が入力されると、タンクローリーにより灯油の補給を行う。
【０００６】
上述の構成や動作の通り、特許文献１のシステムは、灯油タンク９０内の灯油残量が最小許容値より少なくなると、灯油の補給が必要なことを灯油需要者に通知する。その結果、灯油タンク９０には灯油が灯油供給事業者により補給され続け、灯油需要者は、逐一、灯油タンク９０内の灯油残量をチェックする必要がなくなる。
【先行技術文献】
【特許文献】
【０００７】
【特許文献１】特開２００２−１０４６００号公報
【発明の概要】
【発明が解決しようとする課題】
【０００８】
しかし、特許文献１のシステムは、導入コストを十分抑えることができないという課題があった。なぜなら、特許文献１のシステムは、灯油積算流量計９１に（灯油残量が最小許容値に到達したか否かを判別する為の）ＣＰＵを備えなければならないからである。すなわち、特許文献１のシステムは、灯油積算流量計９１毎に、言い換えると住宅毎に、ＣＰＵを備えなければならず、導入コストを十分抑えることができないという課題があった。上記課題は、特許文献１のシステムを数多くの住宅に導入しようとしたときに、顕著な課題となる。
【０００９】
本発明は、上記課題を解決するサーバ、方法、及びプログラムを提供することを目的とする。
【課題を解決するための手段】
【００１０】
上記目的を達成するために、本発明のサーバは、容器に入れられた流体の量を計測する複数の計測器と接続され、前記計測器毎に、前記計測器から入力された前記流体の量を示す値が第１の所定値に達したか否かを判別する第１の判別を行う判別部と、前記複数の計測器のうち、前記第１の判別の結果が肯定的であるものを示す第１の信号を出力する出力部と、を備える。
【００１１】
上記目的を達成するために、本発明の方法は、容器に入れられた流体の量を計測する複数の計測器毎に、前記計測器から入力された前記流体の量を示す値が第１の所定値に達したか否かを判別する第１の判別を行う判別ステップと、前記複数の計測器のうち、前記第１の判別の結果が肯定的であるものを示す第１の信号を出力する出力ステップと、を有する。
【００１２】
上記目的を達成するために、本発明のプログラムは、サーバに実装されたプロセッサに、容器に入れられた流体の量を計測する複数の計測器毎に、前記計測器から入力された前記流体の量を示す値が第１の所定値に達したか否かを判別する第１の判別を行う判別処理と、前記複数の計測器のうち、前記第１の判別の結果が肯定的であるものを示す第１の信号を出力する出力処理と、を行わせるためのプログラム。
【発明の効果】
【００１３】
本発明によれば、システムは、導入コストを十分抑えることができる。
【図面の簡単な説明】
【００１４】
【図１】特許文献１のシステムの構成例を示す図である。
【図２】本発明の第１の実施の形態におけるシステムの構成例を示す図である。
【図３】本発明の第１の実施の形態におけるシステムのサーバに記憶される情報の一例を示す図である。
【図４】本発明の第１の実施の形態におけるシステムの動作を説明する為の図である。
【図５】本発明の第２の実施の形態におけるシステムの構成例を示す図である。
【図６】本発明の第２の実施の形態におけるシステムのサーバに記憶される情報の一例を示す図である。
【図７】本発明の第２の実施の形態におけるシステムの動作を説明する為の図である。
【図８】本発明の第３の実施の形態におけるシステムの構成例を示す図である。
【図９】本発明の第３の実施の形態におけるシステムの動作を説明する為の図である。
【図１０】本発明の第３の実施の形態におけるシステムの動作（バリエーション動作）を説明する為の図である。
【図１１】本発明の第４の実施の形態におけるシステムの構成例を示す図である。
【発明を実施するための形態】
【００１５】
次に本発明の実施形態について、図面を参照して詳細に説明する。
【００１６】
≪第１の実施の形態≫
[概要]
本実施形態のシステムでは、灯油残量が所定量より少なくなったか否かの判別、すなわち残量判別を（各住宅に設置された計測器ではなく、）ネットワーク上のサーバが行う。その結果、本実施形態のシステムでは、残量判別を行うＣＰＵを住宅毎に備える必要がなくなる。本実施形態のシステムでは、残量判別を行うＣＰＵをサーバに１つ備えればよいので、導入コストを抑えることができる。
【００１７】
以下に、本発明の第１の実施の形態におけるシステムの構成や機能、動作について説明する。
【００１８】
［構成の説明］
まず、本発明の第１の実施の形態におけるシステムの構成と機能について説明する。図２は、本発明の第１の実施の形態におけるシステムの構成例を示す図である。
【００１９】
（１）本発明の第１の実施の形態におけるシステムの構成
本実施形態のシステムは、図２に示されるように、計測器１＿１と、計測器１＿２と、サーバ２と、通信端末３＿１と、通信端末３＿２と、通信端末４と、を備える。計測器１＿１と計測器１＿２は、各々、通信モジュール１０と油量計１１を備える。サーバ２は、制御部２０と記憶部２１を備える。
【００２０】
サーバ２の制御部２０は、有線回線を介して、計測器１＿１の通信モジュール１０、計測器１＿２の通信モジュール１０（図示せず）、通信端末３＿１、通信端末３＿２、及び通信端末４と接続される。計測器１＿１と計測器１＿２の通信モジュール１０は、各々、導線を介して、同じ計測器内の油量計１１と接続される。制御部２０は、バスを介して記憶部２１と接続される。
【００２１】
通信端末３＿１のユーザは、自宅にホームタンクを備える。計測器１＿１は、通信端末３＿１のユーザの自宅のホームタンクに備わる計測器である。同様に、通信端末３＿２のユーザも、自宅にホームタンクを備える。計測器１＿２は、通信端末３＿２のユーザの自宅のホームタンクに備わる計測器である。ホームタンクは、灯油を石油ストーブ等に供給する一般的な容器である。
【００２２】
通信端末４は、灯油を販売する販売店が使用する通信端末である。
【００２３】
以下、通信端末３＿１と通信端末３＿２は、タブレット端末であり、通信端末４は、一般的なＰＣ（Ｐｅｒｓｏｎａｌ  Ｃｏｍｐｕｔｅｒ）であるものとする。サーバ２は、クラウドサーバであってもよい。
【００２４】
（２）本実施形態のシステムに備わる各機能部の機能
（２−１）計測器１の機能
計測器１＿１と計測器１＿２は、それぞれ同じ機能を備えるので、代表して計測器１＿１の機能について説明する。
【００２５】
計測器１＿１の油量計１１は、所定のタイミングになると、自身が備わるホームタンク内の灯油の油量を測定する。具体的には、計測器１＿１の油量計１１は、一般的なフロート式液面計であり、所定のタイミングになると、自身が備わるホームタンクの底面からの灯油の高さを測定する。
【００２６】
上述の所定のタイミングは一定間隔毎のタイミングであり、油量計１１の製造者によって油量計１１に設定される。油量計１１の製造者は、１分〜数十分単位の一定間隔毎のタイミングを所定のタイミングとして油量計１１に設定する。
【００２７】
計測器１＿１の油量計１１は、測定した灯油の高さを示す値を、電気信号として通信モジュール１０に出力する。
【００２８】
計測器１＿１の通信モジュール１０は、油量計１１から電気信号が入力されると、入力された電気信号から灯油の高さを示す値を抽出し、抽出した灯油の高さを示す値をパケットとしてサーバ２の制御部２０に出力する。
【００２９】
（２―２）サーバ２の記憶部２１の機能
図３は、本発明の第１の実施の形態におけるシステムに備わるサーバが記憶する情報の一例を示す図である。
【００３０】
サーバ２の記憶部２１は、一般的なメモリであり、図３に示されるように、計測器情報２１＿１と計測器情報２１＿２が制御部２０によって書き込まれる。サーバ２の記憶部２１は、書き込まれた情報を記憶する。
【００３１】
上述の計測器情報２１＿１は計測器１＿１に関連する情報群であり、計測器情報２１＿２は計測器１＿２に関連する情報群である。
【００３２】
以下、計測器情報２１＿１と計測器情報２１＿２を構成する情報について説明する。
【００３３】
（２−３）計測器情報２１＿１を構成する情報について
まず、計測器情報２１＿１を構成する情報について説明する。
【００３４】
上述の規定残油量は、計測器１＿１が備わるホームタンク内の灯油の最低油量である。通信端末３＿１のユーザは、補給が必要と考えるホームタンク内の灯油の高さを示す値を、後述する「（２−６−２）規定残油量を制御部２０へ入力する機能」を用いて、通信端末３＿１から制御部２０に入力する。制御部２０に入力されたホームタンク内の灯油の高さは、制御部２０により規定残油量として記憶部２１に書き込まれる。
【００３５】
次に、上述の処理情報は、サーバ２の制御部２０の処理を規定する値である。値が５１の処理情報は、通信端末３＿１に警告メッセージを送信する処理を示す。警告メッセージは、ホームタンク内の灯油の残量が少なく、補給が必要であることを示すメッセージである。一方、値が５２の処理情報は、通信端末４に注文メッセージを送信する処理を示す。注文メッセージは、販売店に灯油を注文するためのメッセージである。注文メッセージの具体的な内容については、後述の「（４）結果通知動作」で説明する。通信端末３＿１のユーザは、後述する「（２−６−３）処理情報を制御部２０へ入力する機能」を用いて、処理情報を通信端末３＿１から制御部２０に入力する。制御部２０に入力された処理情報は、制御部２０により記憶部２１に書き込まれる。
【００３６】
次に、上述のユーザ端末情報は、通信端末３＿１のＩＰ（Ｉｎｔｅｒｎｅｔ  Ｐｒｏｔｏｃｏｌ）アドレス、通信端末３＿１のユーザの自宅の場所を示す情報、及び通信端末３＿１のユーザの氏名を含む情報である。
【００３７】
上述の販売店端末情報は、通信端末４のＩＰアドレスである。本実施形態のシステムの管理者は、後述する「（２−５−３）書き込み機能」の（ＩＩＩ）を用いて、ユーザ端末情報と販売店端末情報を通信端末３＿１から制御部２０に入力する。制御部２０に入力されたユーザ端末情報と販売店端末情報は、制御部２０により記憶部２１に書き込まれる。
【００３８】
ホームタンク内の油量は、計測器１＿１が備わるホームタンク内の油量であり、測定日時と共に、制御部２０によって記憶部２１に記憶される。
【００３９】
（２−４）計測器情報２１＿２を構成する情報
次に、計測器情報２１＿２を構成する情報について説明する。計測器情報２１＿２を構成する各情報は、計測器情報２１＿１を構成する各情報とほぼ同じ定義である。異なる点のみ以下に記載する。
【００４０】
まず、上述の規定残油量は、計測器１＿２が備わるホームタンク内の灯油の最低油量である。通信端末３＿２のユーザは、補給が必要と考えるホームタンク内の灯油の高さを示す値を、後述する「（２−６−２）規定残油量を制御部２０へ入力する機能」を用いて、通信端末３＿２から記憶部２１に書き込む。
【００４１】
次に、上述の処理情報は、サーバ２の制御部２０の処理を規定する値である。値が５１の処理情報は、通信端末３＿２に警告メッセージを送信する処理を示す。通信端末３＿２のユーザは、後述する「（２−６−３）処理情報を制御部２０へ入力する機能」を用いて、処理情報を通信端末３＿２から記憶部２１に書き込む。
【００４２】
次に、ユーザ端末情報は、通信端末３＿２のＩＰアドレス、通信端末３＿２のユーザの自宅の場所を示す情報、及び通信端末３＿２のユーザの氏名を含む情報である。通信端末３＿２のユーザは、後述する「（２−６−３）処理情報を制御部２０へ入力する機能」を用いて、処理情報を通信端末３＿２から制御部２０に入力する。
【００４３】
次に、ホームタンク内の油量は、計測器１＿２が備わるホームタンク内の油量であり、測定日時と共に、制御部２０によって記憶部２１に記憶される。
【００４４】
（２―５）サーバ２の制御部２０の機能
（２−５−１）読み出し機能
サーバ２の制御部２０は、所定のタイミングになると、記憶部２１に記憶される計測器情報２１＿１の中から、規定残油量、直近に記憶したホームタンク内の油量、及び直近に記憶した測定日時を読み出す。
【００４５】
上述の所定のタイミングは、一定間隔毎のタイミングであり、制御部２０の製造者によって制御部２０に設定される。制御部２０の製造者は、１分〜数十分単位の一定間隔のタイミングを任意に所定のタイミングとして制御部２０に設定する。
【００４６】
（２−５−２）判別機能
サーバ２の制御部２０は、上述の「（２−５−１）読み出し機能」により読み出したホームタンク内の油量が規定残油量に達したか否かを判別する。具体的には、サーバ２の制御部２０は、読み出したホームタンク内の油量が規定残油量より少ないか否かを判別する。サーバ２の制御部２０は、読み出したホームタンク内の油量が規定残油量より少ない場合、補給が必要なので、警告メッセージを通信端末３＿１に送信する。警告メッセージは、「ホームタンク内の灯油が残り少ないです。補給して下さい」との文字情報を含むパケットであってもよい。
【００４７】
サーバ２の制御部２０は、読み出したホームタンク内の油量が規定残油量以上である場合には、警告メッセージを送信せず、次の所定のタイミングを待つ。
【００４８】
サーバ２の制御部２０は、記憶部２１に記憶される計測器情報２１＿２の中から、規定残油量と、直近に記憶したホームタンク内の油量を読み出した場合も上述の判別と警告メッセージの送信を行う。但し、サーバ２の制御部２０は、警告メッセージを通信端末３＿２に送信するものとする。
【００４９】
（２−５−３）書き込み機能
（Ｉ）ホームタンク内の油量と測定日時を記憶部２１に書き込む機能
まず、サーバ２の制御部２０は、１秒毎に日時を示す情報（年、月、日、時、分、秒を示す情報）を出力するカレンダー機能を備える。
【００５０】
サーバ２の制御部２０は、計測器１＿１からパケットが入力されると、入力されたパケットからホームタンク内の油量を抽出する。抽出した油量は、計測器１＿１が備わるホームタンク内の油量である。
【００５１】
サーバ２の制御部２０は、ホームタンク内の油量を抽出すると、抽出した油量と、カレンダー機能により出力される日時を示す情報（以下、「測定日時」という）とを、計測器情報２１＿１として記憶部２１に書き込む。
【００５２】
サーバ２の制御部２０は、計測器１＿２からパケットが入力されると、入力されたパケットからホームタンク内の油量を抽出し、抽出した油量と測定日時を、計測器情報２１＿２として記憶部２１に書き込む。
【００５３】
（ＩＩ）規定残油量と処理情報を記憶部２１に書き込む機能
サーバ２の制御部２０は、通信端末３＿１からパケットが入力されると、入力されたパケットから値５３が付与された情報、若しくは値５４が付与された情報を抽出する。サーバ２の制御部２０は、値５３が付与された情報を抽出した場合、値５３を取り除いた後の情報を計測器情報２１＿１の規定残油量として記憶部２１に書き込む。サーバ２の制御部２０は、値５４が付与された情報を抽出した場合、値５４を取り除いた後の情報を計測器情報２１＿１の処理情報として記憶部２１に書き込む。
【００５４】
同様に、サーバ２の制御部２０は、通信端末３＿２からパケットが入力されたときも上述の「（ＩＩ）規定残油量と処理情報を記憶部２１に書き込む機能」で説明した機能を起動する。但し、サーバ２の制御部２０は、値５３を取り除いた後の情報を、計測器情報２１＿２の規定残油量として記憶部２１に書き込み、値５４を取り除いた後の情報を、計測器情報２１＿２の処理情報として記憶部２１に書き込むものとする。
【００５５】
（ＩＩＩ）ユーザ端末情報や販売店端末情報を記憶部２１に書き込む機能
サーバ２の制御部２０は、一般的なキーボード（図示せず）とバスを介して接続される。サーバ２の制御部２０は、キーボードから文字情報と値１が入力されると、入力された文字情報を計測器情報２１＿１のユーザ端末情報として記憶部２１に書き込む。サーバ２の制御部２０は、キーボードから文字情報と値２が入力されると、入力された文字情報を計測器情報２１＿１の販売店端末情報として記憶部２１に書き込む。
【００５６】
同様に、サーバ２の制御部２０は、キーボードから文字情報と値３が入力されると、入力された文字情報を計測器情報２１＿２のユーザ端末情報として記憶部２１に書き込む。サーバ２の制御部２０は、キーボードから文字情報と値４が入力されると、入力された文字情報を計測器情報２１＿２の販売店端末情報として記憶部２１に書き込む。
【００５７】
上述の文字情報と各値は、本実施形態のシステムの管理者によってキーボードから入力される。
【００５８】
本実施形態のシステムの管理者は、通信端末３＿１のユーザに、通信端末３＿１のＩＰアドレス、氏名、及び住所を確認した上で、確認した情報（文字情報）と値１をキーボードに入力する。さらに、本実施形態のシステムの管理者は、通信端末３＿２のユーザに、通信端末３＿２のＩＰアドレス、氏名、及び住所を確認した上で、確認した情報（文字情報）と値３をキーボードに入力する。また、本実施形態のシステムの管理者は、通信端末４のユーザに通信端末４のＩＰアドレスを確認した上で、確認した情報（文字情報）と値２、及び確認した情報（文字情報）と値４をキーボードに入力する。
【００５９】
（２−５−４）その他の機能
上述の（２−５−１）〜（２−５−３）以外のサーバ２の制御部２０の機能については、後述の［動作の説明］にて詳細に説明するものとする。
【００６０】
（２―６）通信端末３の機能
通信端末３＿１と通信端末３＿２は、一般的なタブレット端末であり、キーパッドを備える。キーパッドは、電話型のキーパッドであり、１〜９までの数字ボタン、＊ボタン、及び＃ボタンを備える。
【００６１】
（２−６−１）メッセージ表示機能
通信端末３＿１と通信端末３＿２は、各々、サーバ２の制御部２０から警告メッセージを受信すると、受信した警告メッセージに含まれる文字情報を画面上に表示する。文字情報は、例えば、「ホームタンク内の灯油が残り少ないです。補給して下さい」等の文字情報である。
【００６２】
（２−６−２）規定残油量を制御部２０へ入力する機能
通信端末３＿１と通信端末３＿２は、キーパッドの数字ボタンと＃ボタンが押下されると、押下された数字ボタンが示す数値を規定残油量として記憶する。通信端末３＿１と通信端末３＿２は、規定残油量を記憶すると、記憶した規定残油量に値５３を付与し、それらをパケットとして制御部２０に送信する。その結果、規定残油量は、上述の「（２−５−３）書き込み機能」の（ＩＩ）に示した制御部２０の機能により記憶部２１に登録される。
【００６３】
（２−６−３）処理情報を制御部２０へ入力する機能
通信端末３＿１と通信端末３＿２は、各々、キーパッドの数字ボタンと＊ボタンが押下されると、押下された数字ボタンが示す数値を処理情報として記憶する。通信端末３＿１と通信端末３＿２は、処理情報を記憶すると、記憶した処理情報に値５３を付与し、それらをパケットとして制御部２０に送信する。その結果、処理情報は、上述の「（２−５−３）書き込み機能」の（ＩＩ）に示した制御部２０の機能により記憶部２１に登録される。
【００６４】
（２―７）通信端末４の機能
通信端末４は、一般的なＰＣであり、ディスプレイを備える。通信端末４は、サーバ２の制御部２０からメッセージを受信すると、受信したメッセージに含まれる文字情報をディスプレイに表示する。
【００６５】
（３）サーバ２の各機能部の実現手段について
上述のサーバ２の制御部２０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）等のメモリ、及び一般的なキーボードを用いて実現することができる。上述のサーバ２の記憶部２１は、ＲＡＭ等のメモリを用いて実現することができる。
【００６６】
［動作の説明］
次に、本実施形態のシステムの詳細な動作を以下に説明する。
【００６７】
（１）記憶部２１に記憶される情報
まず、記憶部２１には、図３に示されるように、計測器情報２１＿１と計測器情報２１＿２が記憶部２１に書き込まれているものとする。これら情報は、上述の「（２−３）計測器情報２１＿１を構成する情報について」で説明したように、通信端末３のユーザ等により記憶部２１に書き込まれたものである。
【００６８】
（２）ホームタンク内の油量計測
（２−１）処理概要
そして、計測器１＿１が備わるホームタンク内の油量と測定日時が、計測器情報２１＿１として順次、計測器１＿１とサーバ２により記憶部２１に書き込まれているものとする。さらに、計測器１＿２が備わるホームタンク内の油量と測定日時が、計測器情報２１＿２として順次、計測器１＿２とサーバ２により記憶部２１に書き込まれているものとする。
【００６９】
計測器１＿１とサーバ２は、以下の「（２−２）計測器１＿１に関する処理詳細」の動作を行い、計測器１＿２とサーバ２は、以下の「（２−３）計測器１＿２に関する処理詳細」を行っているものとする。
【００７０】
（２−２）計測器１＿１に関する処理詳細
まず、計測器１＿１の油量計１１は、一般的なフロート式液面計であり、所定のタイミングになると、自身が備わるホームタンク内の灯油の油量（具体的には、灯油の高さを示す値）を計測する。
【００７１】
所定のタイミングは、一定間隔のタイミングであり、１分間隔毎のタイミングであってもよい。
【００７２】
次に、計測器１＿１の油量計１１は、測定した灯油の高さを示す値を電気信号として通信モジュール１０に出力する。
【００７３】
次に、計測器１＿１の通信モジュール１０は、油量計１１から電気信号が入力されると、入力された電気信号が示す灯油の高さを示す値をパケットとしてサーバ２の制御部２０に出力する。
【００７４】
次に、サーバ２の制御部２０は、計測器１＿１からパケットが入力されると、入力されたパケットから灯油の高さを示す値を抽出する。
【００７５】
次に、サーバ２の制御部２０は、自身に備わるカレンダー機能によって出力された日時を示す情報を測定日時とし、抽出した油量と、測定日時と、を対応づけ、計測器情報２１＿１として記憶部２１に書き込む。なお、サーバ２の制御部２０は、前回書き込んだ領域とは別の領域に油量と測定日時を書き込むものとする。
【００７６】
計測器１＿１の油量計１１とサーバ２の制御部２０は、所定のタイミングになる毎に、上述の「（２−２）処理詳細」に示す処理を繰り返す。
【００７７】
その結果、サーバ２の制御部２０は、計測器１＿１が備わるホームタンクの油量（すなわち、通信端末３＿１のユーザの自宅に備わるホームタンクの油量）と測定日時を順次、計測器情報２１＿１として記憶部２１に書き込んでいく。
【００７８】
（２−３）計測器１＿２に関する処理詳細
まず、計測器１＿２の油量計１１は、一般的なフロート式液面計であり、所定のタイミングになると、自身が備わるホームタンク内の灯油の油量（具体的には、灯油の高さを示す値）を計測する。
【００７９】
次に、計測器１＿２の油量計１１は、測定した灯油の高さを示す値を通信モジュール１０に出力し、パケットとしてサーバ２の制御部２０に出力する。
【００８０】
次に、サーバ２の制御部２０は、計測器１＿２からパケットが入力されると、入力されたパケットからホームタンク内の灯油の油量を抽出する。さらに、サーバ２の制御部２０は、抽出したホームタンク内の灯油の油量と、カレンダー機能によって出力される測定日時と、を対応づけ、計測器情報２１＿２として記憶部２１に書き込む。
【００８１】
その結果、サーバ２の制御部２０は、計測器１＿２が備わるホームタンクの油量（すなわち、通信端末３＿２のユーザの自宅に備わるホームタンクの油量）と測定日時を順次、計測器情報２１＿２として記憶部２１に書き込んでいく。
【００８２】
（３）判別動作
図４は、本発明の第１の実施の形態におけるシステムの動作を説明する為の図である。
【００８３】
本実施形態のシステムでは、サーバ２が、記憶部２１に記載されている情報を基に、各ホームタンク内の油量が規定量よりも少なくなっているか否かの判別を行う。具体的には、サーバ２の制御部２０が、記憶部２１に記憶されている計測器情報２１＿１と計測器情報２１＿２其々について、以下のＳ１〜Ｓ７の処理を行う。サーバ２の制御部２０は、以下のＳ１〜Ｓ７の処理を他の処理よりも優先して行うものとする。
【００８４】
まず、サーバ２の制御部２０は、所定のタイミングになると、記憶部２１に記憶されている計測器情報２１＿１の中から、図４に示されるように、規定残油量、直近に記憶したホームタンク内の油量、及び直近に記憶した測定日時を読み出す（Ｓ１）。
【００８５】
上述の所定のタイミングは、一定間隔毎のタイミングであり、制御部２０の製造者によって制御部２０に設定される。制御部２０の製造者は、３分間隔毎のタイミングを所定のタイミングとして制御部２０に設定してもよい。
【００８６】
読み出したホームタンク内の油量は、通信端末３＿１のユーザの自宅に備わるホームタンク内の灯油の高さを示す値であり、読み出した規定残油量も灯油の高さを示す値である。
【００８７】
次に、サーバ２の制御部２０は、読み出したホームタンク内の油量が規定残油量より小さいか否かを判別する（Ｓ２）。すなわち、サーバ２の制御部２０は、通信端末３＿１のユーザの自宅に備わるホームタンク内の油量が規定量よりも少なくなっており、そのホームタンクに補給が必要か否かを判別する。
【００８８】
以下、サーバ２の制御部２０が、読み出したホームタンク内の油量が規定残油量よりも小さい（Ｓ２でＹｅｓ）と判断したものとして説明を続ける。なお、サーバ２の制御部２０は、読み出したホームタンク内の油量が規定残油量以上であると判断した場合（Ｓ２でＮｏの場合）は、特に何もせず、次の所定のタイミングを待つ。
【００８９】
サーバ２の制御部２０は、読み出したホームタンク内の油量が規定残油量より小さいと判断した場合（Ｓ２でＹｅｓの場合）、すなわち通信端末３＿１のユーザの自宅に備わるホームタンクに補給が必要と判断した場合は、処理情報を読み出す（Ｓ３）。処理情報は、サーバ２の制御部２０の処理を規定する値であり、サーバ２の制御部２０は、記憶部２１に記憶されている計測器情報２１＿１の中から読み出す。
【００９０】
次に、サーバ２の制御部２０は、Ｓ３により読み出した処理情報が値５１（すなわち、警告メッセージを送信する処理を示す値）であるか否かを判別する（Ｓ４）。
【００９１】
以下、読み出した処理情報が値５２であったものとして説明を続ける。
【００９２】
（４）結果通知動作
サーバ２の制御部２０は、読み出した処理情報が値５１（警告メッセージを送信する処理を示す値）でない場合（Ｓ４でＮｏの場合）には、読み出した処理情報が値５２であるか否かを判別する（Ｓ６）。値５２は、注文メッセージを送信する処理を示す値である。
【００９３】
次に、サーバ２の制御部２０は、読み出した処理情報が値５２（注文メッセージを送信する処理を示す値）である場合（Ｓ６でＹｅｓの場合）には、注文メッセージを通信端末４に送信する（Ｓ７）。
【００９４】
注文メッセージは、販売店に灯油を注文するパケットである。具体的には、注文メッセージは、「通信端末３＿１のユーザは、ホームタンク内の油量が残り少ないので、灯油を注文します。通信端末３＿１のユーザのお宅に灯油を配送して下さい。」との文字情報を含むパケットである。
【００９５】
サーバ２の制御部２０は、Ｓ７において注文メッセージを送信する際、パケットである注文メッセージ内の宛先アドレスを、記憶部２１に記憶される計測器情報２１＿１の販売店端末情報（すなわち、通信端末４のＩＰアドレス）に変更してから送信する。通信端末４に注文メッセージ（パケット）が届くようにする為である。また、サーバ２の制御部２０は、注文メッセージに、通信端末３＿１のユーザの氏名と、その自宅の場所を示す情報を含めてから送信する。通信端末３＿１のユーザの氏名や自宅の場所を示す情報は、記憶部２１に記憶される計測器情報２１＿１のユーザ端末情報に含まれている。
【００９６】
次に、通信端末４は、注文メッセージを受信すると、受信した注文メッセージに含まれる文字情報、通信端末３＿１のユーザの氏名、及び通信端末３＿１のユーザの自宅の場所を示す情報と、をディスプレイに表示する。
【００９７】
注文メッセージを確認した販売店は、通信端末３＿１のユーザの自宅に設置されているホームタンク内の灯油残量が少ないことに気づくことができ、通信端末３＿１のユーザの自宅へ灯油の補給に伺うことができる。
【００９８】
一方、Ｓ４において、読み出した処理情報が値５１である場合（Ｓ４でＹｅｓの場合）には、サーバ２の制御部２０は、警告メッセージを通信端末３＿１に送信する（Ｓ５）。値５１は、警告メッセージを送信する処理を示す値である。
【００９９】
警告メッセージは、ホームタンク内の油量が残り少なく、補給が必要であることを示すメッセージである。具体的には、警告メッセージは、「ホームタンク内の灯油が残り少ないです。補給して下さい」との文字情報を含むパケットである。なお、サーバ２の制御部２０は、パケットである警告メッセージ内の宛先アドレスを、記憶部２１に記憶される計測器情報２１＿１のユーザ端末情報における通信端末３＿１のＩＰアドレスに変更してから送信する。通信端末３＿１に警告メッセージ（パケット）が届くようにする為である。
【０１００】
次に、通信端末３＿１は、図示していないが、警告メッセージを受信すると、受信した警告メッセージに含まれる文字情報を画面上に表示する。
【０１０１】
警告メッセージを確認した通信端末３＿１のユーザは、ホームタンク内の灯油残量が少ないことに気づくことができ、ホームタンクに灯油の補給を行うことができる。
【０１０２】
（５）計測器情報２１＿２についての処理
次に、サーバ２の制御部２０は、計測器情報２１＿２についても上述のＳ１〜Ｓ７の処理を行う。その際、サーバ２の制御部２０は、「計測器情報２１＿１」を「計測器情報２１＿２」とみなし、「通信端末３＿１」を「通信端末３＿２」とみなして上述のＳ１〜Ｓ７の処理を行う。
【０１０３】
（５−１）処理詳細
具体的には、サーバ２の制御部２０は、計測器情報２１＿１についてＳ１〜Ｓ７の処理を行った後、記憶部２１に記憶されている計測器情報２１＿２の中から、規定残油量、直近に記憶したホームタンク内の油量、及び直近に記憶した測定日時を読み出す（Ｓ１）。
【０１０４】
次に、サーバ２の制御部２０は、読み出したホームタンク内の油量が規定残油量より小さいか否かを判別する（Ｓ２）。ここでのＳ２の処理は、通信端末３＿２のユーザの自宅に備わるホームタンクの油量が少なくなっているかを判別するものである。
【０１０５】
次に、サーバ２の制御部２０は、読み出したホームタンク内の油量が規定残油量より小さいと判断した場合（Ｓ２でＹｅｓ）、記憶部２１に記憶されている計測器情報２１＿２の中から処理情報を読み出す（Ｓ３）。
【０１０６】
次に、サーバ２の制御部２０は、読み出した処理情報が値５１（警告メッセージを送信する処理を示す値）であるか否かを判別する（Ｓ４）。
【０１０７】
次に、サーバ２の制御部２０は、読み出した処理情報が値５１である場合、警告メッセージを通信端末３＿２に送信する（Ｓ５）。この際、サーバ２の制御部２０は、警告メッセージ（パケット）の宛先アドレスを、記憶部２１に記憶される計測器情報２１＿２のユーザ端末情報における通信端末３＿２のＩＰアドレスに変更してから送信する。通信端末３＿２に警告メッセージが届くようにする為である。
【０１０８】
一方、サーバ２の制御部２０は、読み出した処理情報が値５１でない場合（Ｓ４でＮｏの場合）は、読み出した処理情報が値５２（注文メッセージを送信する処理を示す値）であるか否かを判別する（Ｓ６）。
【０１０９】
次に、サーバ２の制御部２０は、読み出した処理情報が値５２である場合（Ｓ６でＹｅｓの場合）には、注文メッセージを通信端末４に送信する（Ｓ７）。
【０１１０】
注文メッセージは、「通信端末３＿２のユーザは、ホームタンク内の油量が残り少ないので、灯油を注文します。通信端末３＿２のユーザのお宅に灯油を配送して下さい。」との文字情報を含むパケットである。
【０１１１】
サーバ２の制御部２０は、注文メッセージを送信する際、パケットである注文メッセージ内の宛先アドレスを、記憶部２１に記憶される計測器情報２１＿２の販売店端末情報（すなわち、通信端末４のＩＰアドレス）に変更してから送信する。通信端末４に注文メッセージ（パケット）が届くようにする為である。また、サーバ２の制御部２０は、注文メッセージに、通信端末３＿２のユーザの氏名と、その自宅の場所を示す情報を含めてから送信する。通信端末３＿２のユーザの氏名や自宅の場所を示す情報は、記憶部２１に記憶される計測器情報２１＿２のユーザ端末情報に含まれている。
【０１１２】
次に、通信端末４は、注文メッセージを受信すると、受信した注文メッセージに含まれる文字情報、通信端末３＿２のユーザの氏名、及び通信端末３＿２のユーザの自宅の場所を示す情報と、をディスプレイに表示する。
【０１１３】
注文メッセージを確認した販売店は、通信端末３＿１のユーザの自宅に設置されているホームタンク内の灯油残量が少ないことに気づくことができ、通信端末３＿２のユーザの自宅へ灯油の補給に伺うことができる。
【０１１４】
（６）無線回線を介して接続される本実施形態のシステム
上記では、サーバ２の制御部２０は、計測器や通信端末と有線回線を介して接続されたが、無線回線を介して接続されてもよい。
【０１１５】
具体的には、サーバ２の制御部２０は、無線回線を介して、計測器１＿１の通信モジュール１０、計測器１＿２の通信モジュール１０（図示せず）、通信端末３＿１、通信端末３＿２、及び通信端末４と接続されてもよい。
【０１１６】
その場合、サーバ２の制御部２０、計測器１＿１の通信モジュール１０、計測器１＿２の通信モジュール１０、通信端末３＿１、通信端末３＿２、及び通信端末４は、各々、一般的な無線通信機能を備える。
【０１１７】
（６−１）サーバ２の制御部２０と通信モジュール１０の動作
また、サーバ２の制御部２０、計測器１＿１の通信モジュール１０、及び計測器１＿２の通信モジュール１０は、無線通信機能を備える場合、各々、以下の通りに動作する。
【０１１８】
まず、計測器１＿１の通信モジュール１０は、自身に備わる無線通信機能により、測定した灯油の高さを示す値を電波として送信する。同様に、計測器１＿２の通信モジュール１０も、自身に備わる無線通信機能により、測定した灯油の高さを示す値を電波として送信する。計測器１＿１の通信モジュール１０と計測器１＿２の通信モジュール１０は、互いの電波が干渉しあわないよう、互いに異なる周波数、若しくは異なるタイミングで電波を送信することが望ましい。
【０１１９】
サーバ２の制御部２０は、自身に備わる無線通信機能により計測器１＿１から電波を受信すると、受信した電波から灯油の高さを示す値（すなわち、計測器１＿１が備わるホームタンク内の灯油の油量）を抽出する。次に、サーバ２の制御部２０は、抽出したホームタンク内の灯油の油量と、カレンダー機能によって出力される測定日時と、を対応づけ、計測器情報２１＿１として記憶部２１に書き込む。
【０１２０】
同様に、サーバ２の制御部２０は、自身に備わる無線通信機能により計測器１＿２から電波を受信すると、受信した電波から灯油の高さを示す値（すなわち、計測器１＿２が備わるホームタンク内の灯油の油量）を抽出する。次に、サーバ２の制御部２０は、抽出したホームタンク内の灯油の油量と、カレンダー機能によって出力される測定日時と、を対応づけ、計測器情報２１＿２として記憶部２１に書き込む。
【０１２１】
（６−２）サーバ２の制御部２０と各通信端末の動作
さらに、サーバ２の制御部２０、通信端末３＿１、通信端末３＿２、及び通信端末４は、無線通信機能を備える場合、各々、以下の通りに動作する。
【０１２２】
すなわち、サーバ２の制御部２０は、上述のＳ５の処理において、自身に備わる無線通信機能により、警告メッセージを電波として送信する。送信される電波は、干渉を受けないよう、計測器１＿１や計測器１＿２が送信する電波とは周波数が異なることが望ましい。
【０１２３】
通信端末３＿１と通信端末３＿２は、各々、自身に備わる無線通信機能により電波を受信すると、受信した電波から警告メッセージを抽出する。次に、通信端末３＿１と通信端末３＿２は、各々、抽出した警告メッセージに自機のＩＰアドレスが含まれているか否かを判別する。通信端末３＿１と通信端末３＿２には、それぞれ製造者によって自機のＩＰアドレスが予め設定されている。通信端末３＿１と通信端末３＿２は、抽出した警告メッセージに自機のＩＰアドレスが含まれている場合には、（抽出した警告メッセージが自分宛てのメッセージであるので、）抽出した警告メッセージに含まれる文字情報を画面上に表示する。通信端末３＿１と通信端末３＿２は、抽出した警告メッセージに自機のＩＰアドレスが含まれてない場合には、特に何もせず、次に電波を受信するのを待つ。
【０１２４】
同様に、サーバ２の制御部２０は、上述のＳ７の処理において、自身に備わる無線通信機能により、注文メッセージを電波として送信する。通信端末４は、自身に備わる無線通信機能により電波を受信すると、受信した電波から注文メッセージを抽出する。通信端末４は、抽出した注文メッセージに自機のＩＰアドレスが含まれているか否かを判別する。通信端末４には、その製造者によって自機のＩＰアドレスが予め設定されている。通信端末４は、抽出した注文メッセージに自機のＩＰアドレスが含まれている場合には、（抽出した注文メッセージが自分宛てのメッセージであるので、）抽出した注文メッセージに含まれる文字情報を画面上に表示する。通信端末４は、抽出した注文メッセージに自機のＩＰアドレスが含まれてない場合には、特に何もせず、次に電波を受信するのを待つ。
【０１２５】
（７）バリエーション動作
上記では、計測器と通信端末が２つシステムに備わる例について説明したが、２つに限らない。本実施形態のシステムは、３つ以上、計測器と通信端末を備えていてもよい。
【０１２６】
具体的には、本実施形態のシステムは、計測器１＿３〜１＿Ｎ（Ｎは３以上の数）と、通信端末３＿３〜３＿Ｎを追加で備えてもよい。通信端末３＿３〜３＿Ｎのユーザは、自宅にホームタンクを備えており、計測器１＿３〜１＿Ｎは、通信端末３＿３〜３＿Ｎのユーザの自宅のホームタンクに備わる測定器である。
【０１２７】
本実施形態のシステムは、計測器１＿３〜１＿Ｎを備える場合、該計測器に対応する計測器情報２１＿３〜２１＿Ｎをサーバ２の記憶部２１に備える。計測器情報２１＿３〜２１＿Ｎは、計測器情報２１＿１と同様に、計測器１＿３〜１＿Ｎに関するいくつかの情報（規定残油量、処理情報、ユーザ端末情報、販売店端末情報、ホームタンクの油量、及び測定日時）を含む。
【０１２８】
計測器１＿３〜１＿Ｎは、計測器１＿１と同じ機能を備える。
【０１２９】
サーバ２の制御部２０は、計測器１＿２について上述のＳ１〜Ｓ７の処理を行うと、計測器情報２１＿１〜２１＿Ｎ毎に上述のＳ１〜Ｓ７の処理を行う。その際、サーバ２の制御部２０は、「計測器情報２１＿１」を「計測器情報２１＿ｉ（ｉ＝処理を行う計測器情報を示す番号）」とみなし、「通信端末３＿１」を「通信端末３＿ｉ」とみなして上述のＳ１〜Ｓ７の処理を行う。
【０１３０】
［効果の説明］
本実施形態によれば、システムは、導入コストを十分抑えることができる。
【０１３１】
なぜならば、本実施形態のシステムでは、サーバ２が、ホームタンク内の灯油残量が所定量より少なくなったか否かを判別するからである。すなわち、本実施形態のシステムでは、ホームタンク内の灯油残量が所定量より少なくなったか否かを判別するＣＰＵをサーバ２に１つ備えればよいからである。本実施形態のシステムは、特許文献１のシステムのように計測器毎にＣＰＵを備える必要がないので、導入コストを十分抑えることができる。
【０１３２】
≪第２の実施の形態≫
次に、本発明の第２の実施の形態について説明する。
【０１３３】
第２の実施形態のシステムは、地域毎に灯油消費量を集計し、集計した灯油消費量が想定量以上の地域がある場合、その地域を示す情報を販売店の端末に通知するシステムである。販売店は、通知された地域について灯油を配送する配送車を増やす等、円滑に灯油が配送できる体制を整えることができる。
【０１３４】
以下に、第２の実施の形態のシステムの構成と動作について説明する。図５は、本発明の第２の実施の形態におけるシステムの構成例を示す図である。図６は、本発明の第２の実施の形態におけるシステムのサーバに記憶される情報の一例を示す図である。
【０１３５】
［構成の説明］
（１）第２の実施形態のシステムの構成
第２の実施形態のシステムは、図５に示されるように、サーバ２の代わりにサーバ６を備える。サーバ６は、制御部２０の代わりに制御部６０を備える。また、第２の実施形態のシステムは、通信端末４の代わりに通信端末８を備え、さらに計測器１＿３と通信端末３＿３を備える。
【０１３６】
（２）ホームタンクが設置されているエリアについて
計測器１＿３を備えるホームタンクは、計測器１＿１又は計測器１＿２を備えるホームタンクとは異なるエリアに設置されている。以下、計測器１＿１又は計測器１＿２を備えるホームタンクが設置されているエリアを、「エリアＡ」といい、計測器１＿３を備えるホームタンクが設置されているエリアを、「エリアＢ」というものとする。
【０１３７】
（３）記憶部２１に記憶されている情報について
サーバ６の記憶部２１は、計測器情報２１＿１〜２１＿３の代わりに計測器情報２２＿１〜２２＿３を記憶する。
【０１３８】
計測器情報２２＿１〜２２＿３は、図６に示されるように、ユーザ端末情報にエリア情報を含む。エリア情報とは、計測器を備えるホームタンクが設置されているエリアを示す情報である。
【０１３９】
以下、計測器情報２２＿１のエリア情報は、計測器１＿１を備えるホームタンクが設置されている、エリアＡを示す情報であるものとする。同様に、計測器情報２２＿２のエリア情報は、計測器１＿２を備えるホームタンクが設置されている、エリアＡを示す情報であり、計測器情報２２＿３のエリア情報は、計測器１＿３を備えるホームタンクが設置されている、エリアＢを示す情報であるものとする。
【０１４０】
上述した以外の構成は、第１の実施の形態におけるシステムと同じであるので、同一の符号を付して説明を省略する。
【０１４１】
なお、サーバ６の制御部６０は、サーバ２の制御部２０と同じ機能を備える。また、通信端末８は、通信端末４と同じ機能を備える。サーバ６の制御部６０と通信端末８は、本実施形態において新たな機能を備えるが、その機能については後述の[動作の説明]にて詳細に説明する。
【０１４２】
[動作の説明]
本実施形態のシステムの動作について説明する。図７は、本発明の第２の実施の形態におけるシステムの動作を説明する為の図である。
【０１４３】
まず、サーバ６の制御部６０は、第１の実施形態のシステムにおけるサーバ２の制御部２０と同様に、計測器情報２２＿１〜２２＿３それぞれについて上述のＳ１〜Ｓ７の処理を行う。
【０１４４】
その後、サーバ６の制御部６０は、以下のＳ２０〜Ｓ２４を実施し、エリア毎に灯油消費量を集計する。
【０１４５】
（１）各ホームタンクにおける灯油消費量の算出
まず、サーバ６の制御部６０は、図７に示されるように、記憶部２１に記憶される計測器情報２２＿１の中から以下の情報を抽出する（Ｓ２０）。
【０１４６】
・エリア情報（エリアＡを示す情報）
・直近に記憶した油量（以下、「直近油量」という）
・所定時間前に記憶した油量（以下、「過去の油量」という）
サーバ６の制御部６０は、過去の油量を、以下の（イ）〜（ハ）のように抽出することができる。
【０１４７】
（イ）まず、サーバ６の制御部６０は、カレンダー機能により出力される時刻を記憶する。記憶した時刻は現在の時刻である。
【０１４８】
（ロ）次に、サーバ６の制御部６０は、現在の時刻から所定時間前の時刻を算出し、算出した時刻の測定日時に対応する油量を抽出する。抽出した油量は、所定時間前に記憶した過去の油量である。
【０１４９】
（ハ）上述の所定時間は、サーバ６の製造者によって制御部６０に設定される。サーバ６の製造者は、例えば３０分単位の時間で２４時間を越えない時間を所定時間として設定する。
【０１５０】
次に、上述のＳ２０の後、サーバ６の制御部６０は、計測器１＿１が備わるホームタンクにおける灯油消費量を算出する（Ｓ２１）。具体的には、サーバ６の制御部６０は、抽出した過去の油量から直近油量を減算した数値（以下、「消費量」という）を算出する。
【０１５１】
次に、サーバ６の制御部６０は、算出した消費量と、Ｓ２０で抽出したエリア情報（エリアＡを示す情報）と、を対応づけて記憶する（Ｓ２２）。
【０１５２】
その結果、サーバ６の制御部６０は、計測器１＿１が備わるホームタンクにおける灯油消費量と、そのホームタンクが設置されているエリア情報（エリアＡを示す情報）と、を記憶することになる。
【０１５３】
次に、サーバ６の制御部６０は、計測器情報２２＿２と計測器情報２２＿３についても上述のＳ２０〜Ｓ２２の処理を行う。
【０１５４】
すなわち、サーバ６の制御部６０は、計測器情報２２＿２からエリア情報（エリアＡを示す情報）、直近油量、及び過去の油量を抽出する（Ｓ２０）。
【０１５５】
次に、サーバ６の制御部６０は、過去の油量から直近油量を減算した数値（すなわち、消費量）を算出する（Ｓ２１）
さらに、サーバ６の制御部６０は、算出した消費量と、Ｓ２０で抽出したエリア情報（エリアＡを示す情報）と、を対応づけて記憶する（Ｓ２２）。
【０１５６】
その結果、サーバ６の制御部６０は、計測器１＿２が備わるホームタンクにおける灯油消費量と、そのホームタンクが設置されているエリア情報（エリアＡを示す情報）と、を記憶することになる。
【０１５７】
同様に、サーバ６の制御部６０は、計測器情報２２＿３からエリア情報（エリアＢを示す情報）、直近油量、及び過去の油量を抽出する（Ｓ２０）。
【０１５８】
次に、サーバ６の制御部６０は、過去の油量から直近油量を減算した数値（すなわち、消費量）を算出する（Ｓ２１）。
【０１５９】
次に、サーバ６の制御部６０は、算出した消費量と、Ｓ２０で抽出したエリア情報（エリアＢを示す情報）と、を対応づけて記憶する（Ｓ２２）。
【０１６０】
その結果、サーバ６の制御部６０は、計測器１＿３が備わるホームタンクにおける灯油消費量と、そのホームタンクが設定されているエリア情報（エリアＢを示す情報）と、を記憶することになる。
【０１６１】
次に、サーバ６の制御部６０は、エリアＡにおける灯油消費量を集計する。（Ｓ２３）。
【０１６２】
具体的には、サーバ６の制御部６０は、エリアＡを示すエリア情報と対応づけて記憶する消費量を全て加算し、加算した値をエリアＡにおける灯油消費量として記憶する。
【０１６３】
次に、サーバ６の制御部６０は、エリアＢにおける灯油消費量も集計する（Ｓ２４）。
【０１６４】
具体的には、サーバ６の制御部６０は、エリアＢを示すエリア情報と対応づけて記憶する消費量を全て加算し、加算した値をエリアＢにおける灯油消費量として記憶する。
【０１６５】
（２）灯油消費量が想定量以上のエリアの抽出
（２−１）エリアＡについて
次に、サーバ６の制御部６０は、Ｓ２３で記憶したエリアＡにおける灯油消費量が所定量Ａ以上か否かを判別する（Ｓ２５）。エリアＡにおける灯油消費量が想定以上かを判別する為である。
【０１６６】
上述の所定量Ａは、本実施形態のシステムの管理者によってサーバ６の制御部６０に設定される。本実施形態のシステムの管理者は、エリアＡにおいて想定以上に消費されたと考える灯油油量を通信端末８のユーザ（灯油を供給する販売店）に確認し、所定量Ａとしてサーバ６の制御部６０に設定する。本実施形態のシステムの管理者が所定量Ａをサーバ６の制御部６０に設定できるよう、サーバ６の制御部６０は、接続するキーボードから数値と文字「ａｓｅｔ」が入力されると、入力された数値を所定量Ａとして保持する設定機能を備えてもよい。
【０１６７】
次に、サーバ６の制御部６０は、Ｓ２５において、エリアＡにおける灯油消費量が所定量Ａ以上である場合（Ｓ２５でＹｅｓの場合）は、エリアＡを示す情報をエリア情報メッセージに含めて通信端末８に送信する（Ｓ２６）。
【０１６８】
エリア情報メッセージは、消費量が想定以上に多いエリアがあることを示すパケットである。
【０１６９】
次に、通信端末８は、図示していないが、エリア情報メッセージを受信すると、受信したエリア情報メッセージに含まれるエリアＡを示す情報をディスプレイに表示する。
【０１７０】
エリアＡを示す情報を確認した販売店は、エリアＡにおいて灯油消費量が想定よりも多く消費されていることに気づくことができ、エリアＡに灯油を配送する配送車を増やす等、円滑に灯油が配送できる体制を整えることができる。
【０１７１】
なお、サーバ６の制御部６０は、Ｓ２５において、エリアＡのおける灯油消費量が所定量Ａより少ない場合（Ｓ２５でＮｏの場合）には、特に処理を実施せず、次のＳ２７の処理を行う。
【０１７２】
（２−２）エリアＢについて
次に、サーバ６の制御部６０は、上述のＳ２６の後、若しくはＳ２５でＮｏの場合、Ｓ２４で記憶したエリアＢにおける灯油消費量が所定量Ｂ以上か否かを判別する（Ｓ２７）。エリアＢにおける灯油消費量が想定以上かを判別する為である。
【０１７３】
上述の所定量Ｂは、本実施形態のシステムの管理者によってサーバ６の制御部６０に設定される。本実施形態のシステムの管理者は、エリアＢにおいて想定以上に消費されたと考える灯油油量を通信端末８のユーザ（灯油を供給する販売店）に確認し、所定量Ｂとしてサーバ６の制御部６０に設定する。本実施形態のシステムの管理者が所定量Ｂをサーバ６の制御部６０に設定できるよう、サーバ６の制御部６０は、接続するキーボードから数値と文字「ｂｓｅｔ」が入力されると、入力された数値を所定量Ｂとして保持する設定機能を備えてもよい。
【０１７４】
次に、サーバ６の制御部６０は、Ｓ２７において、Ｓ２４で記憶したエリアＢにおける灯油消費量が所定量Ｂ以上である場合（Ｓ２７でＹｅｓの場合）には、エリアＢを示す情報をエリア情報メッセージに含めて通信端末８に送信する（Ｓ２８）。
【０１７５】
次に、通信端末８は、図示していないが、エリア情報メッセージを受信すると、受信したエリア情報メッセージに含まれるエリアＢを示す情報をディスプレイに表示する。
【０１７６】
エリアＢを示す情報を確認した販売店は、エリアＢにおいて灯油消費量が想定よりも多く消費されていることに気づくことができ、エリアＢに灯油を配送する配送車を増やす等、円滑に灯油が配送できる体制を整えることができる。
【０１７７】
なお、サーバ６の制御部６０は、Ｓ２７において、エリアＢにおける灯油消費量が所定量Ｂより少ない場合（Ｓ２７でＮｏの場合）には、特に処理を実施せず、次にＳ１を実施する所定のタイミングを待つ。
【０１７８】
［効果の説明］
本実施形態のシステムでは、販売店は、円滑に灯油を配送できる。
【０１７９】
なぜなら、本実施形態のシステムのサーバ６は、エリア毎に灯油消費量を集計し、灯油消費量が想定量以上のエリアがある場合、そのエリアを示す情報を販売店の通信端末８に通知するからである。その結果、販売店は、通信端末８を介して、想定量以上に灯油が消費されているエリアに気づくことができ、そのエリアに灯油を配送する配送車を多く振り当てる等、灯油を円滑に配送する体制を整えることができる。その結果、販売店は、円滑に灯油を配送できる。
【０１８０】
≪第３の実施の形態≫
次に、本発明の第３の実施の形態について説明する。
【０１８１】
第３の実施形態のシステムは、灯油消費量が想定量以上のエリアがある場合、そのエリアに住む者の通信端末３＿１〜３＿３に対して灯油を消費しすぎていることを通知するシステムである。通知を受けた通信端末３＿１〜３＿３のユーザは、互いに声をかけあい、石油ストーブの火力の調整を行う等、地域ぐるみで省エネに努めることができる。
【０１８２】
以下に、第３の実施の形態のシステムの構成と動作について説明する。図８は、本発明の第３の実施の形態におけるシステムの構成例を示す図である。
【０１８３】
［構成の説明］
第３の実施形態のシステムは、第２の実施形態のシステムをベースにしたシステムである。
【０１８４】
第３の実施形態のシステムは、図８に示されるように、サーバ６と通信端末３＿１〜３＿３の代わりに、サーバ７と通信端末１３＿１〜１３＿３を備える。サーバ７は、制御部６０の代わりに、制御部７０を備える。
【０１８５】
上述した以外の構成は、第２の実施の形態におけるシステムと同じであるので、同一の符号を付して説明を省略する。
【０１８６】
なお、サーバ７の制御部７０は、サーバ６の制御部６０と同じ機能を備え、通信端末１３＿１〜１３＿３は、通信端末３＿１〜３＿３と同じ機能を備える。サーバ７の制御部７０と通信端末１３＿１〜１３＿３は、本実施形態において新たな機能を備えるが、その機能については後述の[動作の説明]にて詳細に説明する。
【０１８７】
[動作の説明]
次に、本実施形態のシステムの動作について説明する。図９は、本発明の第３の実施の形態におけるシステムの動作を説明する為の図である。
【０１８８】
（１）エリアＡに関する動作
まず、サーバ７の制御部７０は、図９に示されるように、Ｓ２５において、エリアＡにおける灯油消費量が所定量Ａ以上である場合（Ｓ２５でＹｅｓの場合）、以下のＳ３０の処理を行う。
【０１８９】
・サーバ７の制御部７０は、エリアＡに住む者の通信端末１３＿１と通信端末１３＿２に対して、灯油を消費しすぎていることを示す消費メッセージを送信する（Ｓ３０）。
【０１９０】
上述の消費メッセージは、「お住まいのエリアにおいて灯油が著しく消費されています。省エネにご協力をお願いします。」という文字情報を含んでいてもよい。
【０１９１】
上述のＳ３０の処理は、以下の（ｉ）〜（ｉｉｉ）の処理により実現されてもよい。
【０１９２】
（ｉ）まず、サーバ７の制御部７０は、計測器情報２２＿１〜２２＿３の中から、エリアＡを示すエリア情報を含む計測器情報を抽出する。以下、サーバ７の制御部７０が、計測器情報２２＿１と計測器情報２２＿２を抽出したものとして説明を続ける。
【０１９３】
（ｉｉ）次に、サーバ７の制御部７０は、抽出した計測器情報（ここでは計測器情報２２＿１と計測器情報２２＿２）各々からユーザ端末情報を抽出する。
【０１９４】
抽出したユーザ端末情報には、エリアＡに住む者の通信端末のＩＰアドレス（すなわち、通信端末１３＿１と通信端末１３＿２のＩＰアドレス）が含まれる。
【０１９５】
（ｉｉｉ）次に、サーバ７の制御部７０は、抽出したＩＰアドレス毎に、該ＩＰアドレスを宛先ＩＰアドレスとする消費メッセージを送信する。
【０１９６】
その結果、サーバ７の制御部７０は、通信端末１３＿１と通信端末１３＿２宛に消費メッセージを送信することができる。
【０１９７】
次に、図示していないが、消費メッセージを受信した通信端末１３＿１と通信端末１３＿２は、受信した消費メッセージに含まれる文字情報をディスプレイに表示する。
【０１９８】
通信端末１３＿１と通信端末１３＿２のユーザは、ディスプレイに表示された文字情報「お住まいのエリアにおいて灯油が著しく消費されています。省エネにご協力をお願いします。」を確認すると、エリアＡ全域の灯油消費量が通常よりも多いことに気づくことができる。
【０１９９】
その後、通信端末１３＿１と通信端末１３＿２のユーザは、互いに声をかけあい、石油ストーブの火力の調整を行う等、地域ぐるみで省エネに努めることができる。
【０２００】
（２）本実施形態のシステムのエリアＢに関する動作
一方、サーバ７の制御部７０は、図９に示されるように、Ｓ２７において、エリアＢのおける灯油消費量が所定量Ｂ以上である場合（Ｓ２７でＹｅｓの場合）、以下のＳ３１の処理を行う。
【０２０１】
・サーバ７の制御部７０は、エリアＢに住む者の通信端末１３＿３に対して、灯油を消費しすぎていることを示す消費メッセージを送信する（Ｓ３１）。
【０２０２】
上述のＳ３１の処理は、以下の（ｉｖ）〜（ｖｉ）の処理により実現されてもよい。
【０２０３】
（ｉｖ）まず、サーバ７の制御部７０は、計測器情報２２＿１〜２２＿３の中から、エリアＢを示すエリア情報を含む計測器情報を抽出する。以下、サーバ７の制御部７０が、計測器情報２２＿３を抽出したものとして説明を続ける。
【０２０４】
（ｖ）次に、サーバ７の制御部７０は、抽出した計測器情報（ここでは計測器情報２２＿３）からユーザ端末情報を抽出する。抽出したユーザ端末情報には、エリアＢに住む者の通信端末のＩＰアドレス（すなわち、通信端末１３＿３のＩＰアドレス）が含まれる。
【０２０５】
（ｖｉ）次に、サーバ７の制御部７０は、抽出したＩＰアドレス毎に、該ＩＰアドレスを宛先ＩＰアドレスとする消費メッセージを送信する。
【０２０６】
その結果、サーバ７の制御部７０は、通信端末１３＿３宛に消費メッセージを送信することができる。
【０２０７】
次に、図示していないが、消費メッセージを受信した通信端末１３＿３は、受信した消費メッセージに含まれる文字情報をディスプレイに表示する。表示される文字情報は、「お住まいのエリアにおいて灯油が著しく消費されています。省エネにご協力をお願いします。」という文字情報である。
【０２０８】
通信端末１３＿３のユーザは、エリアＢ全域の灯油消費量が通常よりも多いことに気づくことができる。
【０２０９】
通信端末１３＿３のユーザは、近所の知り合いに連絡し、石油ストーブの火力の調整を行う等、地域ぐるみで省エネに努めることができる。
【０２１０】
（３）バリエーション動作（日毎、週毎、月毎の灯油消費量を通信端末８に通知する動作）
図１０は、本実施形態のシステムのバリエーション動作を説明する為の図である。
【０２１１】
サーバ７の制御部７０は、バリエーション動作として、所定日に、各ホームタンクの日毎、週毎、及び月毎の灯油消費量を通信端末８に送信してもよい。
【０２１２】
その場合、サーバ７の制御部７０は、日毎、週毎、及び月毎の灯油消費量を保存するメモリ（以下、「保存メモリ」という）を備えた上で、以下の（３−１）〜（３−５）の処理を行う。なお、サーバ７の制御部７０に備わるカレンダー機能は、日時を示す情報（年、月、日、時、分、秒を示す情報）だけでなく、曜日を示す情報も出力するものとする。すなわち、記憶部２１に記憶される計測器情報２２＿１〜２２＿２の測定日時は、日時を示す情報（年、月、日、時、分、秒を示す情報）だけでなく、曜日を示す情報も含む情報となっているものとする。
【０２１３】
（３−１）１日の灯油消費量を算出し、保存する動作
まず、サーバ７の制御部７０は、所定の時刻（例えば、２３時５９分０１秒）になると、計測器１＿１が備わるホームタンクについて、１日の灯油消費量を算出するため、以下のＳ４０〜Ｓ４３の処理を行う。
【０２１４】
上述の所定の時刻は、サーバ７の製造者によって制御部７０に設定される。サーバ７の製造者は、１日の灯油消費量を正確に算出する為に、より遅い時刻（例えば、２３時５９分台の時刻）を所定の時刻として制御部７０に設定する。
【０２１５】
以下、Ｓ４０〜Ｓ４１の処理について説明を行う。
【０２１６】
まず、サーバ７の制御部７０は、図１０に示されるように、計測器情報２２＿１に記憶される油量のうち、直近に記憶した油量と、対応する測定日時と、を抽出する（Ｓ４０）。１日の終わりに記憶した油量と、その測定日時を抽出する為である。
【０２１７】
次に、サーバ７の制御部７０は、Ｓ４０で抽出した測定日時が示す日と同じ日で、且つ、最も古い時刻の測定日時を計測器情報２２＿１から抽出する（Ｓ４１）。
【０２１８】
次に、サーバ７の制御部７０は、Ｓ４１で抽出した測定日時に対応する油量を計測器情報２２＿１から抽出する（Ｓ４２）。１日の始まりに記憶した油量を抽出する為である。
【０２１９】
次に、サーバ７の制御部７０は、Ｓ４０で抽出した油量（すなわち、１日の終わりの油量）と、Ｓ４２で抽出した油量（すなわち、１日の始まりの油量）と、の差を算出し、算出した差を１日の灯油消費量として保存メモリに記憶する（Ｓ４３）。この際、サーバ７の制御部７０は、１日の灯油消費量に、計測器情報２２＿１に含まれるユーザ端末情報を対応づけてから保存メモリに記憶する。どのホームタンクの１日の灯油消費量か分かるようにする為である。
【０２２０】
（３−２）１週間の灯油消費量を算出し、保存する動作
次に、サーバ７の制御部７０は、所定の曜日（例えば土曜日）であるとき、計測器１＿１が備わるホームタンクについて、１週間の灯油消費量を算出する。
【０２２１】
上述の動作は、サーバ７の制御部７０が以下のＳ５０〜Ｓ５４の処理を実施することで実現される。
【０２２２】
まず、サーバ７の制御部７０は、上述のＳ４３の後、図１０の中央図に示されるように、Ｓ４０で抽出した測定日時に含まれる曜日を示す情報が所定の曜日を示す情報（例えば土曜を示す情報）であるか否かを判別する（Ｓ５０）。
【０２２３】
所定の曜日を示す情報（例えば土曜を示す情報）は、サーバ７の製造者によって制御部７０に設定される。
【０２２４】
次に、サーバ７の制御部７０は、曜日を示す情報が所定の曜日を示す情報である場合（Ｓ５０でＹｅｓの場合）には、Ｓ４０で抽出した測定日時の７日前の測定日時に対応する油量（以下、「７日前の油量」という）を保存メモリから読み出す（Ｓ５１）。サーバ７の制御部７０は、７日前の測定日時が保存メモリに記憶されていなければ、値０を、７日前の油量とみなす。
【０２２５】
次に、サーバ７の制御部７０は、Ｓ５１で読み出した７日前の油量と、Ｓ４０で読み出した直近の油量と、の差を算出し、算出した差を、週の灯油消費量として、保存メモリに記憶する（Ｓ５２）。
【０２２６】
この際、サーバ７の制御部７０は、記憶する週の灯油消費量に、計測器情報２２＿１に含まれるユーザ端末情報を対応づけてから保存メモリに記憶する。どのホームタンクにおける週の灯油消費量か分かるようにする為である。
【０２２７】
（３−３）１月の間の灯油消費量を算出し、保存する動作
次に、サーバ７の制御部７０は、月の始めに、計測器１＿１が備わるホームタンクについて前月の１月分の灯油消費量を算出する。
【０２２８】
具体的には、サーバ７の制御部７０は、Ｓ５２の後、若しくはＳ５０でＮｏの場合、Ｓ４０で抽出した測定日時に含まれる日時を示す情報が１日（ついたち）を示す情報であるか否かを判別する（Ｓ６０）。すなわち、月始めの日であるかを判別している。
【０２２９】
次に、サーバ７の制御部７０は、日時を示す情報が１日（ついたち）を示す情報である場合（Ｓ６０でＹｅｓの場合）、前月の１日に記憶した油量と、前月の最後である前日に記憶した油量と、を計測器情報２２＿１から抽出する（Ｓ６１）。
【０２３０】
サーバ７の制御部７０は、前月の１日に記憶した油量と、前月の最後である前日に記憶した油量を、以下の通りに抽出することができる。
【０２３１】
・まず、サーバ７の制御部７０は、Ｓ４０で抽出した測定日時が示す月の前月の１日を示す測定日時を計測器情報２２＿１から抽出する。サーバ７の制御部７０は、抽出した測定日時に対応する油量を、前月の１日に記憶した油量として計測器情報２２＿１から抽出する。さらに、サーバ７の制御部７０は、Ｓ４０で抽出した測定日時が示す日の前日を示す測定日時を計測器情報２２＿１から抽出する。サーバ７の制御部７０は、抽出した測定日時に対応する油量を、前日に記憶した油量として計測器情報２２＿１から読み出す。
【０２３２】
次に、Ｓ６１の後、サーバ７の制御部７０は、読み出した前月の１日に記憶した油量と、前日、即ち前月の末日に記憶した油量と、の差を算出し、算出した差を、１月の灯油消費量として保存メモリに記憶する（Ｓ６２）。
【０２３３】
この際、サーバ７の制御部７０は、記憶する１月の灯油消費量に、計測器情報２２＿１に含まれるユーザ端末情報を対応づけてから保存メモリに記憶する。どのホームタンクにおける１月の灯油消費量か分かるようにする為である。
【０２３４】
（３−４）算出した灯油消費量を通知する動作
次に、サーバ７の制御部７０は、保存メモリに記憶した１月の灯油消費量のうち、新しく記憶したものから３個、直近３ヶ月の灯油消費量として抽出する（Ｓ６３）。
【０２３５】
次に、サーバ７の制御部７０は、保存メモリに記憶した週の灯油消費量のうち、新しく記憶したものから４個、直近４週の灯油消費量として抽出する（Ｓ６４）。
【０２３６】
さらに、サーバ７の制御部７０は、保存メモリに記憶した１日の灯油消費量のうち、新しく記憶したものから３０個、「直近３０日の灯油消費量」として抽出する（Ｓ６５）。このとき、サーバ７の制御部７０は、抽出した１日の灯油消費量と対応づけて保存メモリに記憶しているユーザ端末情報も抽出する。
【０２３７】
次に、サーバ７の制御部７０は、抽出した直近３月の灯油消費量、直近４週の灯油消費量、直近３０日の灯油消費量を順にパケットとして送信する（Ｓ６６）。
【０２３８】
なお、サーバ７の制御部７０は、送信するパケットのＩＰアドレスを、Ｓ６５で抽出したユーザ端末情報に含まれるＩＰアドレスにしてから送信する。
【０２３９】
ここでは、ユーザ端末情報は、元々、計測器情報２２＿１から抽出されたものであるので、Ｓ６５において抽出したユーザ端末情報に含まれるＩＰアドレスは、通信端末１３＿１のＩＰアドレスである。パケットは、通信端末１３＿１宛のパケットであり、サーバ７の制御部７０から送信される。
【０２４０】
次に、図示していないが、通信端末１３＿１は、パケットが入力されると、入力されたパケットから読み出した直近３ヶ月の灯油消費量、直近４週の灯油消費量、直近３０日の灯油消費量、及び対応するユーザ端末情報を順に抽出する。
【０２４１】
次に、通信端末１３＿１は、抽出された順に、直近３ヶ月の灯油消費量、直近４週の灯油消費量、直近３０日の灯油消費量、及び対応するユーザ端末情報を表示する。その際、通信端末１３＿１は、直近３ヶ月の灯油消費量であることを示す文字情報を、直近３ヶ月の灯油消費量と共に表示する。同様に、通信端末１３＿１は、直近４週の灯油消費量であることを示す文字情報を、直近４週の灯油消費量と共に表示し、直近３０日の灯油消費量と共に、直近３０日の灯油消費量であることを示す文字情報を表示する。
【０２４２】
通信端末１３＿１のユーザは、自宅に設定されたホームタンクについて、月毎、週毎、又は日毎の灯油の消費量を見ることができる。その結果、本実施形態のシステムでは、通信端末１３＿１のユーザのエコ意識が向上することを期待できる。
【０２４３】
（３−５）他のホームタンクについても日毎、週毎、及び月毎の灯油消費量を通知する処理
次に、サーバ７の制御部７０は、Ｓ６６を実施後、計測器１＿２が備わるホームタンクについて、直近３月の灯油消費量、直近４週の灯油消費量、直近３０日の灯油消費量を通信端末１３＿２に送信する。その為に、サーバ７の制御部７０は、「計測器情報２２＿１」は「計測器情報２２＿２」とし、「通信端末１３＿１」は「通信端末１３＿２」とする、上述のＳ４０〜Ｓ４３、Ｓ５０〜Ｓ５２、Ｓ６０〜Ｓ５６の処理を実施する。
【０２４４】
次に、サーバ７の制御部７０は、計測器１＿３が備わるホームタンクについて、直近３月の灯油消費量、直近４週の灯油消費量、直近３０日の灯油消費量を通信端末１３＿２に送信する。その為に、サーバ７の制御部７０は、「計測器情報２２＿１」は「計測器情報２２＿３」とし、「通信端末１３＿１」は「通信端末１３＿３」とする、上述のＳ４０〜Ｓ４３、Ｓ５０〜Ｓ５２、Ｓ６０〜Ｓ５６の処理を実施する。
【０２４５】
なお、Ｓ４０〜Ｓ４３、Ｓ５０〜Ｓ５２、Ｓ６０〜Ｓ５６を実施するタイミングと、上述のＳ１〜Ｓ６、Ｓ２０〜Ｓ２８、Ｓ３０〜３１を実施するタイミングが、サーバ７の制御部７０において重なる場合がある。その場合、サーバ７の制御部７０は、Ｓ４０〜Ｓ４３、Ｓ５０〜Ｓ５２、Ｓ６０〜Ｓ５６の処理を優先して実施するものとする。
【０２４６】
［効果の説明］
本実施形態によれば、通信端末１３＿１〜１３＿３のユーザは、地域ぐるみで省エネに努めることができる。
【０２４７】
なぜなら、本実施形態のシステムは、灯油消費量が所定量以上のエリアがある場合、そのエリアに住む者の通信端末１３＿１〜１３＿３に対して灯油を消費しすぎていることを通知するからである。その結果、通信端末３＿１〜３＿３のユーザは、自分が住むエリアでは灯油の消費が通常よりも多いことに気づき、互いに声をかけあう等により、地域ぐるみで省エネに努めることができる。
【０２４８】
≪第４の実施の形態≫
図１１は、本発明の第４の実施の形態におけるシステムの構成例を示す図である。以下に、第４の実施の形態のシステムの構成と動作について説明する。
【０２４９】
［構成の説明］
（１）第４の実施形態のシステムの構成
第４の実施形態のシステムは、図１１に示されるように、サーバ１００と、複数の計測器１１０＿１〜１１０＿Ｎ（Ｎは本実施形態のシステムに備わる計測器の数）と、を備える。サーバ１００は、判別部１０１と、出力部１０２と、を備える。
【０２５０】
判別部１０１と出力部１０２は、有線回線を介して接続されてもよい。サーバ１００の判別部１０１と計測器１１０も、有線回線を介して接続されてもよい。
【０２５１】
（２）計測器１１０＿１〜１１０＿Ｎの機能
計測器１１０＿１〜１１０＿Ｎは、各々、容器に入れられた流体の量を計測する計測器である。容器は、ホームタンクであり、流体は灯油であってもよい。
【０２５２】
（３）サーバ１００の機能
サーバ１００の判別部１０１は、計測器１１０＿１〜１１０＿Ｎ毎に、該計測器から入力された流体の量を示す値が第１の所定値に達したか否かを判別する第１の判別を行う。
【０２５３】
サーバ１００の出力部１０２は、複数の計測器１１０＿１〜１１０＿Ｎのうち、第１の判別の結果が肯定的であるものを示す第１の信号を出力する。
【０２５４】
上述の第１の信号は、第１の判別の結果が肯定的である計測器を示す識別子を含む信号であってもよい。若しくは、上述の第１の信号は、第１の判別の結果が肯定的である計測器が計測する流体の入った容器を示す識別子、又は、該容器を使用する者の氏名や住所を含む信号であってもよい。いずれも第１の判別の結果が肯定的である計測器を特定できる信号であるからである。
【０２５５】
上述の判別部１０１と出力部１０２は、第１の実施形態のシステムに備わるサーバ２の制御部２０に対応する機能部である。判別部１０１はＣＰＵで実現され、出力部１０２は電子回路で実現されてもよい。
【０２５６】
[動作の説明]
次に、本実施形態のシステムの動作を説明する。
【０２５７】
まず、計測器１１０＿１〜１１０＿Ｎは、各々、自身が備わる容器に入れられた流体の量を計測する。容器がホームタンクであり、流体が灯油であってもよい。
【０２５８】
次に、計測器１１０＿１〜１１０＿Ｎは、各々、計測した流体の量をサーバ１００の判別部１０１に出力する。
【０２５９】
次に、サーバ１００の判別部１０１は、計測器１１０＿１〜１１０＿Ｎ毎に、該計測器から入力された流体の量を示す値が第１の所定値に達したか否かを判別する第１の判別を行う。
【０２６０】
ここで、計測器１１０＿Ｎが備わる容器において、流体の量が第１の所定値以下であったとする。その場合、サーバ１００の判別部１０１は、第１の判別において、計測器１１０＿Ｎから入力された流体の量を示す値が第１の所定値に達したと判別する。
【０２６１】
サーバ１００の出力部１０２は、複数の計測器１１０＿１〜１１０＿Ｎのうち、第１の判別の結果が肯定的であるもの（すなわち、計測器１１０＿Ｎ）を示す第１の信号を出力する。
【０２６２】
本実施形態のシステムの管理者（例えば、灯油供給事業者）は、出力された第１の信号から計測器１１０＿Ｎを認識すると、計測器１１０＿Ｎが備わる容器に流体を補給する。
【０２６３】
［効果の説明］
本実施形態によれば、システムは、導入コストを十分抑えることができる。
【０２６４】
なぜならば、本実施形態のシステムでは、サーバ１００が、容器に入れられている流体の量が所定量に達したか否かを判別するからである。すなわち、本実施形態のシステムでは、容器に入れられている流体の量が所定量に達したか否かを判別するＣＰＵをサーバ１００に１つに備えればよいからである。本実施形態のシステムは、サーバ１００にＣＰＵを１つに備えればよく、特許文献１のシステムのように計測器毎にＣＰＵを備える必要がないので、導入コストを十分抑えることができる。
【０２６５】
なお、上述した実施の形態は、その形態に限定されるものではなく、実施段階ではその要旨を逸脱しない範囲で種々変更可能である。
【０２６６】
さらに、上記の各実施形態の一部又は全部は、以下の付記のようにも記載されうるが、以下には限られない。
（付記１）
容器に入れられた流体の量を計測する複数の計測器と接続され、前記計測器毎に、前記計測器から入力された前記流体の量を示す値が第１の所定値に達したか否かを判別する第１の判別を行う判別部と、
前記複数の計測器のうち、前記第１の判別の結果が肯定的であるものを示す第１の信号を出力する出力部と、
を備えることを特徴とするサーバ。
（付記２）
前記出力部は、前記第１の信号を、接続された所定の第１の端末に送信する、
ことを特徴とする付記１に記載のサーバ。
（付記３）
前記判別部は、前記計測器毎に、前記計測器から入力される前記値の所定時間あたりの減少量と、前記計測器の位置を示す所定のエリア情報と、を対応づけて記憶し、記憶した前記エリア情報の種類毎に、対応する前記減少値の合計値を算出して前記合計値が第２の所定値よりも大きいか否かを判別する第２の判別を行い、
前記出力部は、前記第２の判別の結果が肯定的である種類の前記エリア情報を含む第２の信号を前記第１の端末に出力する、
ことを特徴とする付記２に記載のサーバ。
（付記４）
前記出力部は、接続された、前記計測器に対応する所定の第２の端末のうち、前記第１の判別の結果が肯定的である前記計測器に対応する前記第２の端末に、補給が必要なことを示す第３の信号を出力する、
ことを特徴とする付記１乃至３のいずれか１項に記載のサーバ。
（付記５）
前記出力部は、前記エリア情報と、前記第２の端末を示す端末情報と、を対応づけて記憶し、前記第２の信号を出力する場合には、前記第２の信号に含まれる前記エリア情報に対応づけて記憶している前記端末情報が示す前記第２の端末に対し、前記流体を消費しすぎていることを示す第４の信号を送信する、
ことを特徴とする付記３を引用する付記４に記載のサーバ。
（付記６）
前記判別部は、入力された前記値の１日あたりの前記減少量、入力された前記値の１週あたりの前記減少量、入力された前記値の１月あたりの前記減少量のいずれか、若しくは複数を算出し、
前記出力部は、前記判別部が算出した、前記１日あたりの減少量、前記１週あたりの減少量、前記１月あたりの減少量のいずれか、若しくは複数を前記第１の端末に出力する、
ことを特徴とする付記３に記載のサーバ。
（付記７）
前記容器はホームタンクであり、前記流体は、灯油である、
ことを特徴とする付記１乃至６のいずれか１項に記載のサーバ。
（付記８）
容器に入れられた流体の量を計測する複数の計測器毎に、前記計測器から入力された前記流体の量を示す値が第１の所定値に達したか否かを判別する第１の判別を行う判別ステップと、
前記複数の計測器のうち、前記第１の判別の結果が肯定的であるものを示す第１の信号を出力する出力ステップと、
を有することを特徴とする方法。
（付記９）
前記出力ステップにおいては、前記第１の信号を所定の第１の端末に送信する、
ことを特徴とする付記８に記載の方法。
（付記１０）
前記判別ステップにおいては、前記計測器毎に、前記計測器から入力される前記値の所定時間あたりの減少量と、前記計測器の位置を示す所定のエリア情報と、を対応づけて記憶し、記憶した前記エリア情報の種類毎に、対応する前記減少値の合計値を算出して前記合計値が第２の所定値よりも大きいか否かを判別する第２の判別を行い、
前記出力ステップにおいては、前記第２の判別の結果が肯定的である種類の前記エリア情報を含む第２の信号を前記第１の端末に出力する、
ことを特徴とする付記９に記載の方法。
（付記１１）
前記出力ステップにおいては、前記計測器に対応する所定の第２の端末のうち、前記第１の判別の結果が肯定的である前記計測器に対応する前記第２の端末に、補給が必要なことを示す第３の信号を出力する、
ことを特徴とする付記８乃至１０のいずれか１項に記載の方法。
（付記１２）
前記出力ステップにおいては、前記エリア情報と、前記第２の端末を示す端末情報と、を対応づけて記憶し、前記第２の信号を出力する場合には、前記第２の信号に含まれる前記エリア情報に対応づけて記憶している前記端末情報が示す前記第２の端末に対し、前記流体を消費しすぎていることを示す第４の信号を送信する、
ことを特徴とする付記１０を引用する付記１１に記載の方法。
（付記１３）
前記判別ステップにおいては、入力された前記値の１日あたりの前記減少量、入力された前記値の１週あたりの前記減少量、入力された前記値の１月あたりの前記減少量のいずれか、若しくは複数を算出し、
前記出力ステップにおいては、前記判別ステップにおいて算出された、前記１日あたりの前記減少量、前記１週あたりの前記減少量、前記１月あたりの前記減少量のいずれか、若しくは複数を前記第１の端末に出力する、
ことを特徴とする付記１０に記載の方法。
（付記１４）
サーバに実装されたプロセッサに、
容器に入れられた流体の量を計測する複数の計測器毎に、前記計測器から入力された前記流体の量を示す値が第１の所定値に達したか否かを判別する第１の判別を行う判別処理と、
前記複数の計測器のうち、前記第１の判別の結果が肯定的であるものを示す第１の信号を出力する出力処理と、
を行わせるためのプログラム。
（付記１５）
前記出力処理においては、前記第１の信号を所定の第１の端末に送信する、
ことを特徴とする付記１４に記載のプログラム。
（付記１６）
前記判別処理においては、前記計測器毎に、前記計測器から入力される前記値の所定時間あたりの減少量と、前記計測器の位置を示す所定のエリア情報と、を対応づけて記憶し、記憶した前記エリア情報の種類毎に、対応する前記減少値の合計値を算出して前記合計値が第２の所定値よりも大きいか否かを判別する第２の判別を行い、
前記出力処理においては、前記第２の判別の結果が肯定的である種類の前記エリア情報を含む第２の信号を前記第１の端末に出力する、
ことを特徴とする付記１５に記載のプログラム。
（付記１７）
前記出力処理においては、前記計測器に対応する所定の第２の端末のうち、前記第１の判別の結果が肯定的である前記計測器に対応する前記第２の端末に、補給が必要なことを示す第３の信号を出力する、
ことを特徴とする付記１４乃至１６のいずれか１項に記載のプログラム。
（付記１８）
前記出力処理においては、前記エリア情報と、前記第２の端末を示す端末情報と、を対応づけて記憶し、前記第２の信号を出力する場合には、前記第２の信号に含まれる前記エリア情報に対応づけて記憶している前記端末情報が示す前記第２の端末に対し、前記流体を消費しすぎていることを示す第４の信号を送信する、
ことを特徴とする付記１６を引用する付記１７に記載のプログラム。
（付記１９）
前記判別処理においては、入力された前記値の１日あたりの前記減少量、入力された前記値の１週あたりの前記減少量、入力された前記値の１月あたりの前記減少量のいずれか、若しくは複数を算出し、
前記出力処理においては、前記判別処理が算出した、前記１日あたりの前記減少量、前記１週あたりの前記減少量、前記１月あたりの前記減少量のいずれか、若しくは複数を前記第１の端末に出力する、
ことを特徴とする付記１６に記載のプログラム。
【符号の説明】
【０２６７】
１＿１、１＿２、１＿３、１１０＿１〜１１０＿Ｎ    計測器
２、６、７    サーバ
３＿１、３＿２、４、８、１３＿１、１３＿２、１３＿３    通信端末
１０    通信モジュール
１１    油量計
２０、６０、７０    制御部
２１＿１、２１＿２、２２＿１、２２＿２、２２＿３    計測器情報
２１    記憶部
９０    灯油タンク
９１    灯油積算流量計
９２    供給管
９３    コンピュータ
１００    サーバ
１０１    判別部
１０２    出力部
【図１】
2018049383.tif 000003
【図２】
2018049383.tif 000004
【図３】
2018049383.tif 000005
【図４】
2018049383.tif 000006
【図５】
2018049383.tif 000007
【図６】
2018049383.tif 000008
【図７】
2018049383.tif 000009
【図８】
2018049383.tif 000010
【図９】
2018049383.tif 000011
【図１０】
2018049383.tif 000012
【図１１】
2018049383.tif 000013